(57)【要約】【課題】  通信システムにおいて、設定情報を取得するために既存の装置に新たな機能を追加しておいたり、また、設定情報を取得するために端末に接続情報等を手入力する作業を行ったりする。【解決手段】  認証サーバに認証させる端末の、生体情報であるユーザ識別情報が入力され、前記ユーザ識別情報を自装置と１対１で通信する前記認証サーバに送信し、前記ユーザ識別情報に対応して受信した認証設定情報を表示し、前記端末が接続するネットワークに端末として接続する。【選択図】      図６
2015149636.tif 000002
【特許請求の範囲】
【請求項１】
認証サーバに認証させる端末の、生体情報であるユーザ識別情報が入力され、前記ユーザ識別情報を自装置と１対１で通信する前記認証サーバに送信し、前記ユーザ識別情報に対応して受信した認証設定情報を表示し、前記端末が接続するネットワークに端末として接続することを特徴とする表示装置。
【請求項２】
生体情報であるユーザ識別情報と認証設定情報とを対応付けて登録しているテーブル手段と、
表示装置より受信した前記ユーザ識別情報に前記テーブル手段にて対応付けられている前記認証設定情報を自装置と１対１で通信する表示装置に送信する制御手段と
を備えることを特徴とする認証サーバ装置。
【請求項３】
前記ユーザ識別情報は生体情報であることを特徴とする請求項１に記載の表示装置。
【請求項４】
さらに、通信手段を備え、
前記入力されたユーザ識別情報を保持し、前記受信した認証設定情報を前記ユーザ識別情報に対応付けて保持し、自装置と１対１で通信する端末から前記通信手段で受信した前記ユーザ識別情報に対応付けられて保持されている前記認証設定情報を前記通信手段から前記端末に送信することを特徴とする請求項１または３に記載の表示装置。
【請求項５】
入力されたユーザ識別情報を自装置と１対１で通信する表示装置に送信し、前記ユーザ識別情報に対応して受信した認証設定情報を自身に設定することを特徴とする端末。
【請求項６】
請求項３もしくは４に記載の表示装置と請求項２に記載の認証サーバ装置とが接続され、前記送信と前記受信が行われることを特徴とする表示システム。
【請求項７】
入力された、認証サーバに認証させる端末の、生体情報であるユーザ識別情報を表示装置と１対１で通信する前記認証サーバに送信し、前記ユーザ識別情報に対応して受信した認証設定情報を表示し、表示装置を前記端末が接続するネットワークに端末として接続させることを特徴とする表示装置の表示方法。
【請求項８】
生体情報であるユーザ識別情報と認証設定情報とを対応付けて登録しているテーブル工程と、
表示装置より受信した前記ユーザ識別情報に前記テーブル工程にて対応付けられている前記認証設定情報を認証サーバ装置と１対１で通信する前記表示装置に送信する制御工程と
を備えることを特徴とする認証サーバ装置の表示方法。
【請求項９】
前記ユーザ識別情報は生体情報であることを特徴とする請求項７に記載の表示装置の表示方法。
【請求項１０】
請求項９に記載の表示装置の表示方法の前記送信と前記受信とが請求項８に記載の認証サーバ装置の表示方法の前記受信と前記送信とにそれぞれ対応することを特徴とする表示システムの表示方法。
【発明の詳細な説明】
【技術分野】
【０００１】
本発明は、表示装置、認証サーバ装置、表示システム、方法およびプログラムに関する。
【背景技術】
【０００２】
無線ＬＡＮ（Local Area Network）アクセスポイント装置と無線ＬＡＮ端末との通信について、その通信を行うためには、無線ＬＡＮ端末を無線ＬＡＮアクセスポイント装置に帰属させることになる。その際、無線ＬＡＮアクセスポイント装置のＳＳＩＤ（Service Set Identifier）、暗号化方式、パスフレーズなどの設定情報を無線ＬＡＮ端末に設定する必要がある。また、ＷＥＰ（Wired Equivalent Privacy）等による暗号化設定、広くは有線／無線ＬＡＮでのＩＥＥＥ（The Institute of Electrical and Electronics Engineers, Inc.）８０２．１ｘ認証設定などにおいては、ＩＤ（Identifier）やパスワードを端末に入力する必要がある。
【０００３】
このような状況に対し、ＳＳＩＤ、暗号化方式、パスフレーズなどのような帰属設定情報を入力するため等にそれらを取得する技術が特許文献１に記載されている。
【０００４】
すなわち、特許文献１に記載の無線通信システムは、無線通信を行う際に必要な設定情報を管理する設定情報管理装置と、無線基地局と、無線基地局に帰属し無線通信を行う無線端末装置とを有する。その無線通信システムにおいて、無線端末装置は、設定用ネットワークに接続するための無線接続用の接続情報を用いて無線基地局に帰属し、無線基地局を介して設定用ネットワークに存在する設定情報管理装置に接続し、設定情報管理装置から設定情報を取得する。すなわち、特許文献１に記載の技術において、端末が設定情報管理装置に接続して設定情報を取得することが可能となっている。
【先行技術文献】
【特許文献】
【０００５】
【特許文献１】特表２００９−５４３３８１号公報
【発明の概要】
【発明が解決しようとする課題】
【０００６】
特許文献１に記載の技術においては、設定情報管理装置に設定情報として８０２．１ｘ認証の設定情報が管理されていれば、端末が、設定情報管理装置に接続して、８０２．１ｘ認証の設定情報を取得することも可能となる。しかしながら、設定情報の取得のために設定情報管理装置を無線通信システムに導入する場合には、新たなＳＳＩＤおよび無線帯域を設け、既存の無線基地局に設定情報管理装置との通信および処理のための新たな機能を追加することが必要となる。このため、無線通信システムの更新のための手間や費用の増大が懸念される。
【０００７】
また、特許文献１に記載の技術においては、無線端末装置が設定用ネットワークに接続するための無線接続用の接続情報を用いて無線基地局に帰属する際、ユーザ等により無線端末装置に無線接続用の接続情報がタイピング等、手入力されることとなる。そのような入力作業はユーザに負担となる。
【０００８】
つまり、一般的な通信システムにおいて、設定情報を取得するために既存の装置に新たな機能を追加しておいたり、また、設定情報を取得するために端末に接続情報等を手入力する作業を行ったりすることが課題である。
【０００９】
本発明の目的は、この課題を解決する表示装置、認証サーバ装置、表示システム、方法およびプログラムを提供することである。
【課題を解決するための手段】
【００１０】
本発明の表示装置は、認証サーバに認証させる端末の、生体情報であるユーザ識別情報が入力され、前記ユーザ識別情報を自装置と１対１で通信する前記認証サーバに送信し、前記ユーザ識別情報に対応して受信した認証設定情報を表示し、前記端末が接続するネットワークに端末として接続することを特徴とする。
【００１１】
本発明の表示装置の表示方法は、入力された、認証サーバに認証させる端末の、生体情報であるユーザ識別情報を表示装置と１対１で通信する前記認証サーバに送信し、前記ユーザ識別情報に対応して受信した認証設定情報を表示し、表示装置を前記端末が接続するネットワークに端末として接続させることを特徴とする。
【発明の効果】
【００１２】
本発明によれば、一般的な通信システムにおいて、既存の装置に新たな機能を追加したり、端末に接続情報等を手入力する作業を行ったりせずに設定情報の取得が可能となる。
【図面の簡単な説明】
【００１３】
【図１】本発明の第１の実施形態における表示装置および無線ＬＡＮの構成例を示す図である。
【図２】本発明の第１の実施形態における表示装置の構成例を示す図である。
【図３】本発明の第１の実施形態における認証情報管理テーブルのイメージ例を示す図である。
【図４】本発明の第１の実施形態における表示装置関係の動作を示すフローチャートである。
【図５】本発明の第１の実施形態における表示装置と無線ＬＡＮ端末の構成例を示す図である。
【図６】本発明の第２の実施形態における表示装置の構成例を示す図である。
【発明を実施するための形態】
【００１４】
本発明の第１の実施形態について、図面を参照して説明する。
【００１５】
図１は、本実施形態における表示装置を有する無線ＬＡＮの構成例を示す。表示装置１０が一般的な無線ＬＡＮと接続している。本実施形態における無線ＬＡＮは、表示装置１０、認証サーバ装置２０、無線ＬＡＮ端末３０、無線ＬＡＮアクセスポイント装置４０を含む。表示装置１０は無線ＬＡＮアクセスポイント装置４０に無線ＬＡＮで帰属、接続している。無線ＬＡＮアクセスポイント装置４０は認証サーバ装置２０にインターネット回線で接続している。無線ＬＡＮ端末３０は無線ＬＡＮアクセスポイント装置４０に無線ＬＡＮで帰属、接続する。なお、表示装置１０は無線ＬＡＮ端末３０等と同様に無線ＬＡＮアクセスポイント装置４０に帰属、接続する。このため、表示装置１０を無線ＬＡＮアクセスポイント装置４０に接続させるために無線ＬＡＮアクセスポイント装置４０に新たな機能等を追加する必要はない。
【００１６】
表示装置１０は、ユーザ識別情報その他が入力され、認証サーバと通信し、８０２．１ｘ認証設定情報その他を表示する。
【００１７】
認証サーバ装置２０は、Ｒａｄｉｕｓサーバで、認証情報管理テーブル２１を備え、８０２．１ｘ認証を行う。
【００１８】
無線ＬＡＮ端末３０は、８０２．１ｘ認証に対応するものである。
【００１９】
無線ＬＡＮアクセスポイント装置４０は、８０２．１ｘ認証に対応するものである。
【００２０】
図２は、本実施形態における表示装置の構成例を示す。表示装置１０は、情報入力部１１、送受信部１２、情報表示部１３を備える。
【００２１】
情報入力部１１は、ユーザインタフェースを備え、ユーザ識別情報その他が入力される。
【００２２】
送受信部１２は、無線ＬＡＮのインターフェースである。
【００２３】
情報表示部１３は、８０２．１ｘ認証設定情報その他を表示する。
【００２４】
上述の構成例を踏まえ、本実施形態における表示装置１０に関する動作について、図１〜図４を参照して説明する。なお、図４は本実施形態における表示装置関係の動作を示すフローチャートである。
【００２５】
予め、ユーザにより認証サーバ装置２０に無線ＬＡＮ端末３０のユーザを識別する情報が入力される。ユーザによる認証サーバ装置２０へのユーザ識別情報の入力はサーバのユーザインタフェースにより行われる。入力されたユーザ識別情報は、認証情報管理テーブル２１において、無線ＬＡＮ端末３０と認証サーバ装置２０とで８０２．１ｘ認証が行われる際に使用される認証設定情報に対応付けられて登録される。なお、ユーザ識別情報は、指紋情報や網膜情報などユーザのタイピング等、手入力の不要なものとし、また、８０２．１ｘ認証設定情報は、ユーザ識別情報の登録の際、ランダムな文字・数字列で生成されるものである。
【００２６】
ここで、認証情報管理テーブル２１のイメージの例を図３に示す。ユーザＡ、Ｂ、Ｃの３ユーザの識別情報および８０２．１ｘ認証設定情報が登録されている。ユーザＡの識別情報の指紋情報に対応して８０２．１ｘ認証設定情報のＩＤ、パスワードがそれぞれＶＮ９Ｋ４ｔＵＫ、４ｔｉ９ｗｋとなっている。同様に、ユーザＢの指紋情報に対応する８０２．１ｘ認証設定情報のＩＤ、パスワードがそれぞれｐｅ７Ｋｕｓ７ｄ、ｊｎｚ７ｎｉとなっている。また、ユーザＣの識別情報の指紋情報に対応する８０２．１ｘ認証設定情報のＩＤ、パスワードがそれぞれＦＸＸｘＭＹＺＷ、ｉｒｚｔａ６となっている。なお、ユーザ数は、本例では３ユーザとなっているが、これに限られず、１、２、あるいは４以上でもよい。また、ユーザ識別情報は、本例では指紋情報となっているが、これに限られず、網膜情報等、ユーザによる手入力の不要なものであればよい。
【００２７】
次に、認証サーバ装置２０にユーザ識別情報と８０２．１ｘ認証設定情報が登録された後の、表示装置１０に関する動作について、図１〜図４を参照して説明する。
【００２８】
なお、無線ＬＡＮ端末３０は無線ＬＡＮアクセスポイント装置４０に帰属しているものとする。また、表示装置１０は無線ＬＡＮ端末３０の傍に配置されているものとする。表示装置１０を様々な場所にある無線ＬＡＮ端末の傍に配置できるようにするため、例えば、帰属設定情報や認証設定情報を簡易な値に固定して、容易にネットワークに接続できるようにしておく。
【００２９】
ユーザにより表示装置１０に情報入力部１１から無線ＬＡＮ端末３０のユーザの識別情報が入力される（Ｓ１）。ユーザ識別情報は、例えば、図３におけるユーザＡの指紋情報とする。表示装置１０は入力されたユーザ識別情報を、例えば、特定のフレームに載せて、送受信部１２からアクセスポイント装置４０経由で認証サーバ装置２０に送信する（Ｓ２）。認証サーバ装置２０は送信されたユーザ識別情報を認証情報管理テーブル２１にて検索する（Ｓ３）。そのユーザ識別情報がある場合（Ｓ３で有）は、対応する８０２．１ｘ認証設定情報、図３の例ではユーザ名ＶＮ９Ｋ４ｔＵＫ、パスワード４ｔｉ９ｗｋが抽出される（Ｓ４）。認証サーバ装置２０は抽出された８０２．１ｘ認証設定情報を無線ＬＡＮアクセスポイント装置４０経由で表示装置１０に送信する（Ｓ５）。表示装置１０は送信された８０２．１ｘ認証設定情報を送受信部１２で受信し、情報表示部１３でディスプレイやタッチパネル（図示せず）に表示する（Ｓ６）。これにより、ユーザは表示された８０２．１ｘ認証設定情報を見ながら無線ＬＡＮ端末３０に入力することが可能となり、その入力により、無線ＬＡＮ端末３０と認証サーバ装置２０とで８０２．１ｘ認証が行われて、無線ＬＡＮ端末３０がネットワークにアクセスする。
【００３０】
ステップ３（Ｓ３）で、そのユーザ識別情報がない場合（Ｓ３で無）は、その旨のメッセージが無線ＬＡＮアクセスポイント装置４０経由で表示装置１０に送信される（Ｓ７）。表示装置１０は送信されたメッセージを送受信部１２で受信し、情報表示部１３で「ユーザ識別情報がサーバに登録されていません」等の表示を行い、処理が終了される（Ｓ８）。
【００３１】
なお、本実施形態において、無線ＬＡＮでの表示装置の例が示されているが、無線に限らず一般的なＬＡＮにおいても同様である。また、表示装置で取得する設定情報は８０２．１ｘ認証情報に限られず、他の設定情報等でもよい。
【００３２】
以上のように、表示装置と認証サーバ装置とを介する無線ＬＡＮアクセスポイント装置を含む既存のネットワークに表示装置を端末として接続するため、既存の装置に新たな機能を追加せずに済む。その表示装置を無線ＬＡＮ端末の傍に置いて、指紋情報や網膜情報などを表示装置に入力することにより、８０２．１ｘ認証の設定情報が無線ＬＡＮ端末の傍にある表示装置に表示される。
【００３３】
このように、一般的な通信システムにおいて、既存の装置に新たな機能を追加したり、端末に接続情報等を手入力する作業を行ったりせずに設定情報の取得が可能となる。
【００３４】
なお、本実施形態において、さらに、次のようにすれば、ユーザが８０２．１ｘ認証設定情報を無線ＬＡＮ端末３０に入力する作業を省くことが可能となる。すなわち、表示装置１０が認証サーバ装置２０から受信した８０２．１ｘ認証設定情報をＢｌｕｅｔｏｏｔｈ（登録商標）、赤外線などの通信手段で無線ＬＡＮ端末３０に送信し、無線ＬＡＮ端末３０が受信した８０２．１ｘ認証設定情報を自身に設定するようにする。
【００３５】
図５はその場合の構成例を示す。表示装置１０は、さらに、通信部１４、メモリ部１５を備える。無線ＬＡＮ端末３０は、さらに、通信部３１を備える。
【００３６】
通信部１４は、Ｂｌｕｅｔｏｏｔｈ、赤外線、あるいは他の同等な手段の通信を行う。
【００３７】
メモリ部１５は、ユーザ識別情報、８０２．１ｘ認証設定情報などを保持する。
【００３８】
通信部３１は、Ｂｌｕｅｔｏｏｔｈ、赤外線、あるいは他の同等な手段の通信を行う。
【００３９】
上述の構成例を踏まえ、その場合の動作は次のようになる。
【００４０】
表示装置１０は、ユーザにより無線ＬＡＮ端末３０のユーザ識別情報が入力された（前述）際、そのユーザ識別情報をメモリ部１５に保持する。表示装置１０は認証サーバ装置２０から該ユーザ識別情報に対応付けられている８０２．１ｘ認証設定情報を受信した（前述）際、その８０２．１ｘ認証設定情報を該ユーザ識別情報に対応付けてメモリ部１５に保持する。該８０２．１ｘ認証設定情報が、表示装置１０に表示された等、表示装置１０で受信された（前述）際、ユーザが無線ＬＡＮ端末３０に該ユーザ識別情報を入力し、無線ＬＡＮ端末３０は該ユーザ識別情報を通信部３１から表示装置１０に送信する。表示装置１０は通信部１４で受信したユーザ識別情報に対応付けられてメモリ部１５に保持されている８０２．１ｘ認証設定情報を通信部１４から無線ＬＡＮ端末３０に送信する。無線ＬＡＮ端末３０は通信部３１で受信した８０２．１ｘ認証設定情報を自身に設定し、認証サーバ装置２０との認証が行われる。
【００４１】
これにより、ユーザが８０２．１ｘ認証設定情報を無線ＬＡＮ端末３０に入力する作業を省くことが可能となる。
【００４２】
次に、本発明の第２の実施形態について、図面を参照して説明する。
【００４３】
図６は、本実施形態における表示装置の構成例を示す。
【００４４】
図６を参照して、本実施の形態における表示装置５０の動作について説明する。
【００４５】
なお、表示装置５０は認証サーバ（図示せず）に認証させる端末（図示せず）の傍に配置されているものとする。なお、表示装置５０は認証サーバに認証させる端末と同様にネットワーク上の一端末としてネットワークに接続している。このため、表示装置５０をネットワークに接続させるためにネットワークに新たな機能等を追加する必要はない。
【００４６】
ユーザにより表示装置５０に端末のユーザの識別情報が入力される。ユーザ識別情報は、指紋情報や網膜情報などとする。表示装置１０は入力されたユーザ識別情報をネットワーク経由で認証サーバに送信する。表示装置５０は送信したユーザ識別情報に対応して受信した認証設定情報をディスプレイやタッチパネル（図示せず）に表示する。これにより、ユーザは表示された認証設定情報を見ながら端末に入力することが可能となり、その入力により、端末と認証サーバとで認証が行われて、端末がネットワークにアクセスする。
【００４７】
以上のように、表示装置と認証サーバ装置とを介する無線ＬＡＮアクセスポイント装置を含む既存のネットワークに表示装置を端末として接続するため、既存の装置に新たな機能を追加せずに済む。その表示装置を無線ＬＡＮ端末の傍に置いて、指紋情報や網膜情報などを表示装置に入力することにより、認証設定情報が端末の傍にある表示装置に表示される。
【００４８】
このように、一般的な通信システムにおいて、既存の装置に新たな機能を追加したり、端末に接続情報等を手入力する作業を行ったりせずに設定情報の取得が可能となる。
【００４９】
上記の実施の形態の一部または全部は、以下の付記のようにも記載されうるが、以下には限られない。
（付記１）認証サーバに認証させる端末の、生体情報であるユーザ識別情報が入力され、前記ユーザ識別情報を自装置と１対１で通信する前記認証サーバに送信し、前記ユーザ識別情報に対応して受信した認証設定情報を表示し、前記端末が接続するネットワークに端末として接続することを特徴とする表示装置。
（付記２）生体情報であるユーザ識別情報と認証設定情報とを対応付けて登録しているテーブル手段と、表示装置より受信した前記ユーザ識別情報に前記テーブル手段にて対応付けられている前記認証設定情報を自装置と１対１で通信する表示装置に送信する制御手段とを備えることを特徴とする認証サーバ装置。
（付記３）前記ユーザ識別情報は指紋情報、網膜情報などの生体情報であることを特徴とする付記１に記載の表示装置。
（付記４）さらに、通信手段を備え、前記入力されたユーザ識別情報を保持し、前記受信した認証設定情報を前記ユーザ識別情報に対応付けて保持し、自装置と１対１で通信する端末から前記通信手段で受信した前記ユーザ識別情報に対応付けられて保持されている前記認証設定情報を前記通信手段から前記端末に送信することを特徴とする付記１または３に記載の表示装置。
（付記５）入力されたユーザ識別情報を自装置と１対１で通信する表示装置に送信し、前記ユーザ識別情報に対応して受信した認証設定情報を自身に設定することを特徴とする端末。
（付記６）付記３もしくは４に記載の表示装置と付記２に記載の認証サーバ装置とが接続され、前記送信と前記受信が行われることを特徴とする表示システム。
（付記７）入力された、認証サーバに認証させる端末の、生体情報であるユーザ識別情報を表示装置と１対１で通信する前記認証サーバに送信し、前記ユーザ識別情報に対応して受信した認証設定情報を表示し、表示装置を前記端末が接続するネットワークに端末として接続させることを特徴とする表示装置の表示方法。
（付記８）生体情報であるユーザ識別情報と認証設定情報とを対応付けて登録しているテーブル工程と、表示装置より受信した前記ユーザ識別情報に前記テーブル工程にて対応付けられている前記認証設定情報を認証サーバ装置と１対１で通信する前記表示装置に送信する制御工程とを備えることを特徴とする認証サーバ装置の表示方法。
（付記９）前記ユーザ識別情報は指紋情報、網膜情報などの生体情報であることを特徴とする付記７に記載の表示装置の表示方法。
（付記１０）付記９に記載の表示装置の表示方法の前記送信と前記受信とが付記８に記載の認証サーバ装置の表示方法の前記受信と前記送信とにそれぞれ対応することを特徴とする表示システムの表示方法。
（付記１１）入力された、認証サーバに認証させる端末の、生体情報であるユーザ識別情報を表示装置と１対１で通信する前記認証サーバに送信し、前記ユーザ識別情報に対応して受信した認証設定情報を表示し、表示装置を前記端末が接続するネットワークに端末として接続させることを特徴とする表示装置の表示プログラム。
（付記１２）生体情報であるユーザ識別情報と認証設定情報とを対応付けて登録しているテーブルステップと、表示装置より受信した前記ユーザ識別情報に前記テーブルステップにて対応付けられている前記認証設定情報を認証サーバ装置と１対１で通信する前記表示装置に送信する制御ステップとを備えることを特徴とする認証サーバ装置の表示プログラム。
（付記１３）前記ユーザ識別情報は指紋情報、網膜情報などの生体情報であることを特徴とする付記１１に記載の表示装置のプログラム。
【産業上の利用可能性】
【００５０】
本発明は、表示装置、認証サーバ装置、表示システム、方法およびプログラムに利用可能である。
【符号の説明】
【００５１】
１０    表示装置
１１    情報入力部
１２    送受信部
１３    情報表示部
１４    通信部
１５    メモリ部
２０    認証サーバ
２１    認証情報管理テーブル
３０    無線ＬＡＮ端末
３１    メモリ部
４０    無線ＬＡＮアクセスポイント装置
５０    表示装置
【図１】
2015149636.tif 000003
【図２】
2015149636.tif 000004
【図３】
2015149636.tif 000005
【図４】
2015149636.tif 000006
【図５】
2015149636.tif 000007
【図６】
2015149636.tif 000008